(57)【要約】【課題】高周波熱治療用ＲＦジェネレータと超音波診断機のような映像診断器機における干渉現象による映像または波形の歪みを防止する高周波熱治療用ＲＦジェネレータの同相モードノイズフィルターを提供する。【解決手段】オシレータに供給される発振周波数を増幅手段１２によって交流出力に増幅させて電極１０に供給する高周波熱治療用ＲＦジェネレータの同相モードノイズフィルターであって、前記増幅手段１２と前記電極１０の間に同相モードノイズフィルター１１を配置し、電極１０の使用の際、施術条件によって前記電極１０から発生する高調波成分を除去する。【選択図】図１
2011067591.tif 000002
【特許請求の範囲】
【請求項１】
オシレータに供給される発振周波数を増幅手段１２によって交流出力に増幅させて電極１０に供給する高周波熱治療用ＲＦジェネレータの同相モードノイズフィルターにおいて、
前記増幅手段１２と前記電極１０の間に同相モードノイズフィルター１１を配置し、電極１０の使用の際、施術条件によって前記電極１０から発生する高調波成分を除去することを特徴とする、高周波熱治療用ＲＦジェネレータの同相モードノイズフィルター。
【請求項２】
前記同相モードノイズフィルター１１は、それぞれの巻線Ｌ１、Ｌ２の一端が前記増幅手段１２の出力端にそれぞれ接続され、前記それぞれの巻線Ｌ１、Ｌ２の他端が電極１０にそれぞれ接続されたトランスＴと、前記トランスＴに並列で接続されたキャパシタＣとからなることを特徴とする、請求項１に記載の高周波熱治療用ＲＦジェネレータの同相モードノイズフィルター。
【発明の詳細な説明】
【技術分野】
【０００１】
本発明は高周波熱治療用ＲＦジェネレータの同相モードノイズフィルターに関する。特に、本発明は電極使用の際に施術条件によって増加する高調波成分を除去する高周波熱治療用ＲＦジェネレータの同相モードノイズフィルターに関する。
【背景技術】
【０００２】
一般に、人の身体器官、例えば肝臓のような器官で発生する癌組職などを治療する方法としては、薬物や放射線などを利用して非手術的に癌組職の成長を抑制させて除去する方法と、手術によって該当癌組職を外科的に除去する方法とがある。
【０００３】
前述したような治療方法のうち、外科的に癌組職を除去する方法は、癌組職などが位置する病変部位の身体を切除しなければならないので、その部位が非常に広いため、手術そのものが難しく、施術部位が完治するまで長い時間を要するうえ、完治した後には該当部位に大きな傷あとが残ることになる。
【０００４】
特に、癌組職などは再発する場合が多い。この場合、既に切除した病変部位を再び切除しなければならないため、患者に危険性の高い手術を施さなければならない苦痛とともに経済的な負担までも与える。
【０００５】
それで、最近には外科的に手術を施さなくて癌組職などを除去する方法、つまり肝動脈塞栓療法や経皮的エタノール注入療法、全身的坑癌化学療法、局所熱治療などのような方法が広く施術されている。このうち、局所熱治療法が広く施術される最も効果的な方法である。
【０００６】
前述した局所熱治療には、高周波熱治療、マイクロウエーブ焼灼術、レーザー焼灼術などがある、この中で高周波による熱治療が最も効果的である。前記高周波熱治療は、身体器官、例えば肝臓に癌組職が発生すれば、これを切除せずに高周波熱によって癌組職のみを焼灼して枯死させる方法である。
【０００７】
前述したように、癌組職（細胞）を高周波熱治療によって除去するための装置としては、一定レベルの高周波を発生させる高周波熱治療用ＲＦジェネレータと、前記高周波熱治療用ＲＦジェネレータで発生する高周波が加わる一つの電極を持つことを例として挙げることができる。
【０００８】
したがって、既に出願されて登録された特許文献１の‘高周波熱治療用マルチＲＦジェネレータ’は一つの高周波熱治療用ＲＦジェネレータから多数の電極に高周波を供給して大きな癌細胞を効率よく枯死させるようにするとともに焼灼範囲の拡大と安全性を高めることができるのはもちろんのこと、一つ以上のチャネルを制御して、二元病変に対して同時に施術できるようにしている。
【０００９】
しかし、高周波熱治療用ＲＦジェネレータは４８０ＫＨｚの高出力（３０〜２００Ｗ）で肝臓や甲状腺などの癌組職に対する施術の際に電極を通じて癌組職を加熱して枯死させることができる機器で、周辺の医療機器に電磁波干渉を与える。特に、高周波熱治療用ＲＦジェネレータとともに医療陣に施術部位の映像を提供する超音波診断機のような映像診断器機が使用される。この映像診断器機は電磁波に鋭敏な機器であり、高周波熱治療用ＲＦジェネレータから発生する電磁波によって医療陣に鮮明な映像を提供することができない場合がある。
【００１０】
前述した超音波診断機の超音波プローブは、その用途によって４ＭＨｚないし１３ＭＨｚの周波数帯域を使用するため、高周波熱治療用ＲＦジェネレータから発生する４８０ＫＨｚの高調波（２ｎｄ、３ｒｄ、・・・・、Ｎｔｈ）が超音波診断機の使用周波数帯域に分布して診断映像に干渉を引き起こす問題点がある。
【００１１】
もちろん、高周波熱治療用ＲＦジェネレータそのもののディスプレイ部に表示される波形にも影響を及ぼすため、医療陣はディスプレイ部から波形または映像を正確に確認することができない問題点がある。
【先行技術文献】
【特許文献】
【００１２】
【特許文献１】大韓民国特許登録第１０−７３９００２号明細書
【発明の概要】
【発明が解決しようとする課題】
【００１３】
前述したような従来の問題点を解決するために、本発明は、電極使用の際に施術条件によって発生する高調波成分を除去して、高周波熱治療用ＲＦジェネレータそのものはもちろんのこと、超音波診断機のような映像診断器機における干渉現象による映像または波形の歪みを防止することにその目的がある。
【課題を解決するための手段】
【００１４】
前述したような目的を達成するために、本発明は、オシレータに供給される発振周波数を増幅手段によって交流出力に増幅させて電極に供給する高周波熱治療用ＲＦジェネレータの同相モードノイズフィルターにおいて、前記増幅手段と前記電極の間に同相モードノイズフィルターを配置し、電極の使用の際、施術条件によって前記電極から発生する高調波成分を除去する、高周波熱治療用ＲＦジェネレータの同相モードノイズフィルターを提供する。
【００１５】
前記同相モードノイズフィルターは、それぞれの巻線の一端が前記増幅手段の出力端にそれぞれ接続され、前記それぞれの巻線の他端が電極にそれぞれ接続されたトランスと、前記トランスに並列で接続されたキャパシタとからなることができる。
【発明の効果】
【００１６】
したがって、本発明によれば、本発明は、電極使用の際に施術条件によって発生する高調波成分を同相モードノイズフィルターを利用して除去することで、高周波熱治療用ＲＦジェネレータそのものはもちろんのこと、超音波診断機のような映像診断器機における干渉現象による映像または波形の歪みを防止することができる。
【図面の簡単な説明】
【００１７】
【図１】本発明による高周波熱治療用ＲＦジェネレータの同相モードノイズフィルターを示す図である。
【図２】本発明による高周波熱治療用ＲＦジェネレータの同相モードノイズフィルターを利用してノイズをフィルタリングして正弦波を発生させるグラフである。
【発明を実施するための形態】
【００１８】
以下、本発明を添付図面に基づいて詳細に説明する。
【００１９】
図１は本発明による高周波熱治療用ＲＦジェネレータの同相モードノイズフィルターを示すもので、オシレータ（図示せず）などから出力される発振周波数を受けたＭＣＵ１３の制御によって増幅手段１２で増幅された交流出力を電極１０に供給するとき、同相モードノイズフィルター１１を利用して施術条件によって電極１０から発生する高調波成分を除去して、ディスプレイ部１４または超音波診断機のような他の映像診断器機で電磁波による干渉現象が起こらないようにするものである。
【００２０】
前述した高周波熱治療用ＲＦジェネレータの全般的な動作を制御するＭＣＵ１３には、動作モードなどを設定するための多数のキーでなるキー入力部１５、動作状態の波形や映像を表示するディスプレイ部１４、及び高圧（ＨＶ）を受けてＭＣＵ１３の制御によって発振周波数を交流出力として増幅させる増幅手段１２などが接続されている。前述した増幅手段１２は、位相制御部、増幅器、マッチングネットワーク、スイッチング素子、その他の各種センサーなどで構成される。
【００２１】
前記増幅手段１２と前記電極１０の間には、電極１０使用の際、施術条件によって電極１０から発生する高調波成分を除去するための同相モードノイズフィルター１１が配置されている。この同相モードノイズフィルター１１は、それぞれの巻線Ｌ１、Ｌ２の一端が増幅手段１２の出力端に接続され、それぞれの巻線Ｌ１、Ｌ２の他端が電極１０に接続されたトランスＴと、このトランスＴに負荷側が並列で接続されたキャパシタＣとから構成される。
【００２２】
本発明の動作説明に先立ち、同相モード（Ｃｏｍｍｏｎ Ｍｏｄｅ）を説明する。
【００２３】
太陽の光とは特定位置、つまり地球という位置で見た相対的な明るさのもので、太陽に別の外部エネルギーを供給していないので、同相モードのエネルギーだけ存在する。言い換えれば、同一時間に同位相で同量のエネルギーを外部に放出させるので同相モードと言う。
【００２４】
例えば、６０Ｈｚ常用電源を供給して白熱電球の電気をつけたとき、６０Ｈｚ常用電源は電気を供給する線（ｈｏｔ）を通じてエネルギーを供給し、帰還線（ｎｅｕ）を通じて閉回路をなす。白熱電球の場合、６０Ｈｚ常用電源を受けて光というまったく新しい周波数帯域のエネルギーを作り、同一時間に同量のエネルギーを同相で外部に放射させることになる。
【００２５】
この場合、差動モード（Ｎｏｒｍａｌ Ｍｏｄｅ）と同相モードが共に存在する。差動モード成分の場合、６０Ｈｚ常用電源のように線間で現れる信号／雑音の電圧を言い、同相モードの場合、たとえ入力側では６０Ｈｚ常用電源だけを受けたが、負荷が仕事をして作り出した新しい周波数帯域の信号エネルギーは負荷側が比較対象の接地面よりエネルギー準位が高い。
【００２６】
したがって、負荷から作られた新しいエネルギーは外に出ようとする電流成分を持つ。この際、電流量は、大きさ、位相、時間、方向がいずれも同一である同相になる。もちろん、同相信号／雑音は比較対象である接地面に対する相手エネルギー準位を言う。
【００２７】
同相モード信号／雑音はとても遠くまで伝播されるという特徴を持つもので、ある無線送信機から空間的に放射される電磁波は同相モード成分であり、反対に空間的な電波がケーブル、アンテナ、特定の器機に誘導されるエネルギーも同相モードに相当する。すなわち、接地面に対する相対的なエネルギーの大きさを言う。
【００２８】
これに対し、差動モードは往復導線を使ってエネルギーを伝達する形態がこれ相当する。すなわち、６０Ｈｚ常用電源のエネルギー伝達形態がこれに相当する。
【００２９】
図１及び図２に示すように、増幅手段１２は、キー入力部１５によって設定された動作環境によって、ＭＣＵ１３の制御で４８０ＫＨｚの発振周波数を高圧（ＨＶ）に増幅させて電極１０に供給することになる。
【００３０】
この際、電極１０の使用の際、施術条件によって同相モードノイズ、つまり交流出力の高調波成分が発生することになる。この高調波成分はトランスＴと増幅手段１２の出力端子側キャパシタＣ１、Ｃ２でなる同相モードノイズフィルター１１によって遮断されて、ディスプレイ部１４そのものまたは付近にある超音波診断機のような映像診断器機に影響を与えることができなくなる。
【産業上の利用可能性】
【００３１】
本発明は、肝臓のような人の身体器官で発生する癌組職などを治療するのに適用可能である。
【符号の説明】
【００３２】
１０    電極
１１    同相モードノイズフィルター
１２    増幅手段
１３    ＭＣＵ
１４    ディスプレイ部
１５    キー入力部
Ｔ    トランス
Ｌ１、Ｌ２    巻線
Ｃ    キャパシタ
Ｃ１、Ｃ２    キャパシタ
【図１】
2011067591.tif 000003
【図２】
2011067591.tif 000004